(57)【要約】【課題】原本を複数存在することなく、原本を保証することができる。【解決手段】原本である記録用紙が劣化し、新しい記録用紙に画像データを出力して原本を移管する場合、画像処理装置１２の画像読取部２４で原本である記録用紙の紙指紋を読み取り、管理装置１４のデータベース４０に記憶されている紙指紋の紙指紋データであるか否かを照合する。照合した結果、データベース４０に記憶されている、つまり原本を保証できる記録用紙であると照合された場合、原本移管元の記録用紙を破棄し、原本移管先の記録用紙、つまり新しい記録用紙の紙指紋の紙指紋データと出力する画像データとをデータベース４０に記憶する。【選択図】図６
2009049780.tif 000002
【特許請求の範囲】
【請求項１】
記録用紙の繊維が形成するランダムパターンである紙指紋を読み取って紙指紋データを得る読取手段と、
前記読取手段により紙指紋が読み取られた前記記録用紙へ、画像形成手段により画像データに応じて画像を形成することで原本を生成する原本生成手段と、
前記原本となる前記記録用紙の前記紙指紋データと、前記原本の基となる前記画像データとを関連付けて記憶される記憶手段と、
前記原本を新たな前記記録用紙に移管する場合に、前記原本となる画像データと関連付ける紙指紋データを、新たな前記記録用紙の紙指紋データに更新する更新手段と、
を有する画像処理システム。
【請求項２】
前記更新手段が前記紙指紋データを更新する場合、前記記憶手段に記憶されている移管元である前記原本の前記記録用紙の前記紙指紋データを消去し、前記読取手段に移管先である前記記録用紙の前記紙指紋を読み取り、前記記憶手段に前記移管先の前記紙指紋と前記移管元の前記紙指紋に関連付けられていた前記画像データとを関連付けて前記記憶手段に記憶し直し、前記原本生成手段に前記移管先の前記記録用紙に前記画像データに基づいて前記原本を生成するよう制御する制御手段を更に有することを特徴とする請求項１記載の画像処理システム。
【請求項３】
前記記録用紙を廃棄する廃棄手段を更に有し、前記制御手段は、前記原本を移管する場合に、前記移管元である前記原本を廃棄するよう廃棄手段を制御することを特徴とする請求項１又は請求項２記載の画像処理システム。
【請求項４】
記録用紙の繊維が形成するランダムパターンである紙指紋を読み取って紙指紋データを得る読取手段と、
画像データを基に前記記録用紙に画像を形成する画像形成手段と、
前記画像形成手段により画像を形成した前記記録用紙の前記紙指紋データと、形成した前記画像データとを関連付けて記憶する記憶手段と、
前記記憶手段に記憶されている前記紙指紋データ及び前記画像データに対して読出、照合、消去を含む基本編集に加え、前記画像データを新たな前記記録用紙の紙指紋データに関連付けて記憶する更新編集を実行する編集手段と、
を有する画像処理装置。
【発明の詳細な説明】
【技術分野】
【０００１】
本発明は、画像処理システム及び画像処理装置に関するものである。
【背景技術】
【０００２】
有価証券や、市役所等で交付される住民票や出生証明書等、また、医師等により処方される処方箋等の機密文書等においては、出力された紙文書の偽造防止や原本保証が重要となっている。
【０００３】
そこで、記録用紙に透かしや識別符号等の情報を付加せず、原本を保証する技術として、記録用紙の繊維が形成するランダムパターン、所謂紙指紋を登録し、照合する技術が開示されている（特許文献１参照）。
【特許文献１】特開２００４−１０２５６２公報
【発明の開示】
【発明が解決しようとする課題】
【０００４】
しかしながら、特許文献１では、記録用紙の紙指紋を登録し、画像データを出力して原本とした後、時間の経過や煩雑な取り扱い等により記録用紙自体が劣化する場合がある。劣化した記録用紙の状態によっては、紙指紋を照合する際に誤認識する可能性がある。
【０００５】
また、劣化した原本をむやみに複製し、新たに紙指紋を登録すれば、原本が複数存在して原本を保証できない。
【０００６】
本発明は上記事実を考慮し、原本が複数存在することなく、原本を保証することができる画像処理システム及び画像処理装置を得ることが目的である。
【課題を解決するための手段】
【０００７】
請求項１の発明は、記録用紙の繊維が形成するランダムパターンである紙指紋を読み取って紙指紋データを得る読取手段と、前記読取手段により紙指紋が読み取られた前記記録用紙へ、画像形成手段により画像データに応じて画像を形成することで原本を生成する原本生成手段と、前記原本となる前記記録用紙の前記紙指紋データと、前記原本の基となる前記画像データとを関連付けて記憶される記憶手段と、前記原本を新たな前記記録用紙に移管する場合に、前記原本となる画像データと関連付ける紙指紋データを、新たな前記記録用紙の紙指紋データに更新する更新手段と、を有している。
【０００８】
請求項２の発明は、前記更新手段が前記紙指紋データを更新する場合、前記記憶手段に記憶されている移管元である前記原本の前記記録用紙の前記紙指紋データを消去し、前記読取手段に移管先である前記記録用紙の前記紙指紋を読み取り、前記記憶手段に前記移管先の前記紙指紋と前記移管元の前記紙指紋に関連付けられていた前記画像データとを関連付けて前記記憶手段に記憶し直し、前記原本生成手段に前記移管先の前記記録用紙に前記画像データに基づいて前記原本を生成するよう制御する制御手段を更に有することを特徴としている。
【０００９】
請求項３の発明は、前記記録用紙を廃棄する廃棄手段を更に有し、前記制御手段は、前記原本を移管する場合に、前記移管元である前記原本を廃棄するよう廃棄手段を制御することを特徴としている。
【００１０】
請求項４の発明は、記録用紙の繊維が形成するランダムパターンである紙指紋を読み取って紙指紋データを得る読取手段と、画像データを基に前記記録用紙に画像を形成する画像形成手段と、前記画像形成手段により画像を形成した前記記録用紙の前記紙指紋データと、形成した前記画像データとを関連付けて記憶する記憶手段と、前記記憶手段に記憶されている前記紙指紋データ及び前記画像データに対して読出、照合、消去を含む基本編集に加え、前記画像データを新たな前記記録用紙の紙指紋データに関連付けて記憶する更新編集を実行する編集手段と、を有している。
【発明の効果】
【００１１】
請求項１記載の発明によれば、原本が複数存在することなく、原本を保証することができる。
【００１２】
請求項２記載の発明によれば、記憶手段に記憶されている画像データに基づいて画像を形成することから、常に移管元の原稿と移管先の原稿は同一の画像を形成することができる。
【００１３】
請求項３記載の発明によれば、記憶手段で管理することにより原本を保証することができるだけでなく、廃棄手段を用いることで、不要な原本を確実に廃棄することができる。
【００１４】
請求項４記載の発明によれば、原本が複数存在することなく、原本を保証することができる。
【発明を実施するための最良の形態】
【００１５】
図１は、本実施の形態に係る画像処理システム１０の構成の一例を示す概略構成図である。
【００１６】
画像処理システム１０は、画像処理装置１２、管理装置１４、廃棄装置１６を備え、ネットワーク２０を介して接続されている。また、画像処理システム１０は、ネットワークを介してクライアント端末１８にも接続されている。なお、画像処理システム１０の構成は、画像処理装置１２、管理装置１４、廃棄装置１６、クライアント端末１８としたが、これに限ったものではない。例えば画像処理装置１２が、管理装置１４を組み合わせた複合機の構成としてもよい。また、クライアント端末１８は必須ではない。
【００１７】
図２は、図１に示す画像処理装置１２の機能を示す機能ブロック図である。
【００１８】
ＵＩ（ユーザインタフェース）２２は、画像読取部２４と画像処理制御部２６とに接続されている。ＵＩ２２は、図示しないタッチパネルディスプレイやボタン等で構成され、表示手段、指示手段としての機能を兼ね備えている。画像処理装置１２を使用するユーザは、タッチパネルディスプレイやボタン等を接触することにより、画像出力処理等の実行を指示したり、画像を出力する部数等を指示することができる。また、タッチパネルディスプレイには、各種機能に関する指示画面、設定画面の他、画像処理装置１２の動作状態や各種メッセージ等が表示される。ＵＩ２２により入力された指示情報は、画像読取部２４と画像処理制御部３２とへ送出される。
【００１９】
図２に示されるように、画像読取部２４は、画像処理制御部２６と画像処理部２８とに接続されている。画像読取部２４は、図示しない原稿載置台としてのプラテンガラス、プラテンガラス上に載置された原稿を照射する光源、スキャナ等により構成されている。プラテンガラス上に載置された原稿（例えば図３（Ａ）参照）６０は、スキャナによって走査される。光源により照射された原稿６０からの反射光がスキャナを構成するＣＣＤセンサに結像され、原稿６０の画像データ（例えば図３（Ａ）参照）６２が電気信号へと変換されて、この電気信号をイメージデータとして取り込む。また、画像読取部２４は、画像を出力する記録用紙（例えば図３（Ｂ）参照）６４や、原稿６０を照射することにより、記録用紙６４の繊維が形成するランダムパターンを紙指紋（例えば図３（Ｂ）参照）６６を読み取って紙指紋データを得る。
【００２０】
紙指紋６６は、図３（Ｂ）に示す位置に限定されるものではなく、記録用紙６４のどの位置の繊維が形成するランダムパターンを紙指紋６６としてもよい。紙指紋６６の位置は、予め設定しておく場合、後述する管理装置１４で管理されている紙指紋６６を読み取って得られた紙指紋データと検索して照合する処理が早くなる。しかし、予め紙指紋６６の位置を設定しなかった場合でも、記録用紙６４の繊維が形成するランダムパターンをすべてスキャンすることで、紙指紋データと照合することができる。
【００２１】
画像読取部２４は、原稿から取り込んだイメージデータの画像データ６２を画像処理部２８へ送出し、紙指紋６６から得られる紙指紋データを画像処理制御部２６へ送出する。
【００２２】
画像処理部２８は、画像処理制御部２６、画像出力部３０、通信制御部３２に接続されている。画像処理部２８は、画像データ６２等に基づいて各種画像処理や、ビットマップ形式にラスタライズする処理等を行う。画像処理部２８は、処理した画像データ６２を画像出力部３０へ送出する。
【００２３】
画像出力部３０は、図示しない露光部、感光体、現像器、転写器、定着器を含んで構成されている。帯電器により感光体が所望の電位に帯電された後、露光部からレーザ光が照射され、感光体上に静電潜像が形成される。感光体上に可視化されたトナー像は、転写器において加圧、加熱され、転写されたトナー像が定着される。定着することで画像データ６２が印刷された記録用紙６４は、図示しない搬送部により画像処理装置１２の本体外に排出される。
【００２４】
通信制御部３２は、画像処理制御部２６に接続している。通信制御部３２は、ネットワーク２０を介してクライアント端末１８から送出され、例えば図３（Ａ）のように出力される画像データ６２を画像処理部２８へ送出する。更に通信制御部３２は、紙指紋６６から得られる紙指紋データを管理装置１４へ送出し、管理装置１４から送出される画像データ６２を画像処理制御部２６へ送出する。
【００２５】
画像処理制御部２６は、ＵＩ２２からの指示情報に基づいて画像処理部２８へ指示情報を送出する。また、画像処理制御部２６は、画像読取部２４により読み取られた紙指紋６６の紙指紋データを通信制御部３２へ送出する。更に、画像処理制御部２６は、管理装置１４から送出された画像データ６２を画像処理部２８へ送出する。また、画像処理制御部２６は、エラー等の場合に表示するメッセージ等をＵＩ２２へ送出する。
【００２６】
図４は、図１に示す管理装置１４の機能を示す機能ブロック図である。
【００２７】
ＵＩ（ユーザインタフェース）３４は、管理制御部３６に接続されている。ＵＩ３４は、図示しないタッチパネルディスプレイやキーボード、マウス等の入力デバイスで構成され、表示手段、指示手段としての機能を兼ね備えている。管理装置１４を使用するユーザは、入力デバイスにより各種の情報を入力することができる。また、タッチパネルディスプレイには、各種機能に関する指示画面、設定画面の他、管理装置１４の動作状態や各種メッセージ等が表示される。ＵＩ３４により入力された指示情報は、管理制御部３６へ送出される。
【００２８】
管理制御部３６は、検索部３８、データベース４０、通信制御部４２に接続されている。管理制御部３６は、ＵＩ３４により入力された指示情報や、通信制御部４２から送出される紙指紋６６の紙指紋データを検索部３８へ送出する。また、管理制御部３６は、通信制御部４２から送出される紙指紋６６の紙指紋データと画像データ６２とを関連付けてデータベース４０に記憶させる。また、管理制御部３６は、検索部３８から送出される検索結果から紙指紋６６の紙指紋データを照合する。照合した結果を通信制御部４２へ送出する。更に、管理制御部３６は、データベース４０に記憶された紙指紋６６の紙指紋データであると照合できた場合は、紙指紋６６の紙指紋データに関連付けられた画像データ６２を通信制御部４２へ送出する。
【００２９】
検索部３８は、データベース４０に接続されている。検索部３８は、管理制御部３６から送出される紙指紋６６の紙指紋データに基づいて、データベース４０に記憶されている紙指紋６６の紙指紋データを検索する。検索部３８は、検索結果を管理制御部３６へ送出する。
【００３０】
データベース４０は、管理制御部３６により関連付けられた紙指紋６６の紙指紋データと画像データ６２とを記憶する。
【００３１】
通信制御部４２は、管理制御部３６から送出される照合結果を、画像処理装置１２と廃棄装置１６へ送出する。また、通信制御部４２は、管理制御部３６から送出される画像データ６２を、画像処理装置１２へ送出する。
【００３２】
画像処理装置１２の画像読取部２４によって紙指紋６６が読み取られた記録用紙６４に、管理装置１４のデータベース４０にその紙指紋６６の紙指紋データに関連付けられた画像データ６２が画像処理装置１２の画像出力部３０によって出力された記録用紙６４を原本（例えば図３（Ｃ）参照）６８とする。
【００３３】
図５は図１に示す、廃棄装置１６の機能を示す機能ブロック図である。
【００３４】
ＵＩ（ユーザインタフェース）４４は、廃棄制御部４６に接続されている。ＵＩ４４は、図示しないタッチパネルディスプレイやボタン等で構成され、表示手段、指示手段としての機能を兼ね備えている。廃棄装置１６を使用するユーザは、例えばスタートボタンを操作することにより、廃棄処理の実行を指示することができる。また、タッチパネルディスプレイには、各種機能に関する指示画面、設定画面の他、廃棄装置１６の動作状態や各種メッセージ等が表示される。ＵＩ４４により入力された指示情報は、廃棄制御部４６へ送出される。
【００３５】
廃棄制御部４６は、画像読取部４８、シュレッダー駆動部５０、通信制御部５２に接続されている。廃棄制御部４６は、ＵＩ４４から送出された指示情報に基づいて、画像読取部４８に、廃棄する原稿６０の紙指紋６６を読み取る指示を送出する。また、廃棄制御部４６は、画像読取部４８から送出される紙指紋６６の紙指紋データを通信制御部５２へ送出する。更に、廃棄制御部４６は、通信制御部５２から送出される紙指紋６６の紙指紋データを照合した結果に応じて、シュレッダー駆動部５０の駆動を制御する。
【００３６】
画像読取部４８は、廃棄する原本６８の記録用紙６４に対して、図示しない光源から照射された光の反射光を受光することにより、原本６８である記録用紙６４の繊維が構成するランダムパターンである紙指紋６６を取得する構成となっている。画像読取部４８は、取得した紙指紋６６を廃棄制御部４６へ送出する。
【００３７】
シュレッダー駆動部５２は、図示しないシュレッダーを駆動する。
【００３８】
通信制御部５４は、ネットワーク２０を介して、廃棄制御部４６から送出される紙指紋６６の紙指紋データを管理装置１４（図１参照）へ送出し、管理装置１４から送出される照合の結果を廃棄制御部４６へ送出する。
【００３９】
図１に示されるように、画像処理システム１０は、上記画像処理装置１２、管理装置１４、廃棄装置１６を用いて、原稿６０の画像データ６２、又はクライアント端末１８から送出される画像データ６２と紙指紋６６とを管理し、不要な原本６８を廃棄している。原本６８は、時間の経過と共に記録用紙６４が劣化することで、紙指紋６６が劣化し、原本６８を保証のための照合時に誤認識する可能性がある。また、原本６８が劣化することにより、記録用紙６４に印刷されている画像も劣化することになる。そこで、原本６８が劣化した場合の、原本６８の移管について説明する。
【００４０】
図６は、原本６８を移管する機能を示した機能ブロック図である。なお、画像処理装置１２、管理装置１４、廃棄装置１６について重複した詳細な説明は省略する。
【００４１】
画像処理装置１２のＵＩ２２は、ユーザからの原本６８の移管の指示を画像読取部２４と画像処理制御部２６とに送出する。
【００４２】
画像読取部２４は、原本６８の紙指紋６６を読み取り、その紙指紋６６の紙指紋データを画像処理制御部２６へ送出する。また、画像処理制御部２６の指示により、原本６８の移管先である記録用紙６４の紙指紋６６を読み取り、その紙指紋６６の紙指紋データを画像処理制御部２６へ送出する。
【００４３】
画像処理制御部２６は、画像読取部２４によって読み取られた紙指紋６６の紙指紋データが管理装置１４で管理されている紙指紋６６の紙指紋データであるかどうかを照合するために、紙指紋６６を、管理装置１４の管理制御部３６へ送出する。また、画像処理制御部２６は、管理装置１４で管理されている紙指紋６６の紙指紋データであるという照合の結果と、紙指紋６６の紙指紋データに関連付けられて記憶されている画像データ６２が管理制御部３６から送出されると、送出された画像データ６２を画像処理部２８へ送出し、画像読取部２４へ原本６８の移管先である記録用紙６４の紙指紋６６を読み取る指示を送出する。画像処理制御部３６は、移管先である記録用紙６４の紙指紋６６を読み取ると、その紙指紋６６の紙指紋データと、管理制御部３６から送出された画像データ６２とを関連付けてデータベース４０へ記憶する。
【００４４】
画像処理部２８は、画像処理制御部２６から送出された画像データ６２を処理し、画像出力部３０は、画像処理部２８から送出された画像データ６２を出力する。
【００４５】
管理装置１４の管理制御部３６は、画像処理装置１２の画像処理制御部２６から送出された紙指紋６６の紙指紋データを検索部３８へ送出する。
【００４６】
検索部３８は、紙指紋６６がデータベース４０に記憶されているか検索をし、検索結果を管理制御部３６へ送出する。
【００４７】
管理制御部３６は、検索部３８から送出される検出結果が、データベース４０に記憶されている紙指紋６６の紙指紋データであると照合できた場合、紙指紋６６の紙指紋データに関連付けられてデータベース４０に記憶されている画像データ６２を画像処理制御部２６へ送出する。また、データベース４０に記憶されている紙指紋６６の紙指紋データに廃棄許可を与える。
【００４８】
廃棄装置１６のＵＩ４４から、ユーザからの原本６８の廃棄指示が入力されると、廃棄制御部４６へ廃棄指示が送出される。
【００４９】
廃棄制御部４６は、廃棄指示に基づいて、画像読取部４８へ廃棄する原本６８の紙指紋６６を読み取る指示を送出する。また、画像読取部４８から送出される紙指紋６６の紙指紋データを管理装置１４の管理制御部３６へ送出する。画像読取部４８は、管理制御部３６から廃棄許可情報が送信されるとシュレッダー駆動部５０へ駆動指示を送出する。
【００５０】
画像読取部４８は、原本６８の紙指紋６６を読み取り、読み取った結果である紙指紋６６の紙指紋データを廃棄制御部４６へ送出する。
【００５１】
シュレッダー駆動部５０は、廃棄制御部４６から送出される駆動指示に基づいて、シュレッダーを駆動する。
【００５２】
以下、本実施の形態の作用を説明する。
【００５３】
画像処理システム１０では、画像処理装置１２から画像を出力する際に、原本６８とする記録用紙６４の紙指紋６６を画像読取部２４で読み取り、その紙指紋６６の紙指紋データと画像を形成する画像データ６２とを関連付けて紙指紋６６を管理装置１４のデータベース４０に記憶する。原本６８である記録用紙６４が劣化し、新しい記録用紙６４に画像データ６２を出力して原本６８を移管する場合、画像処理装置１２の画像読取部２４で原本６８である記録用紙６４の紙指紋６６を読み取り、管理装置１４のデータベース４０に記憶されている紙指紋６６の紙指紋データであるか否かを照合する。照合した結果、データベース４０に記憶されている、つまり原本６８を保証できる記録用紙６４であると照合された場合、原本移管元の記録用紙６４を破棄し、原本移管先の記録用紙６４、つまり新しい記録用紙６４の紙指紋６６の紙指紋データと出力する画像データ６２とをデータベース４０に記憶する。
【００５４】
図７は、原本６８を登録する処理の流れを示すフローチャートである。
【００５５】
ステップ７０では、原本６８となる記録用紙６４の紙指紋６６を画像処理装置１２の画像読取部２４が読み取り、ステップ７２へ移行する。
【００５６】
ステップ７２では、出力する画像データ６２が電子データか否かを判定する。電子データであると肯定判定された場合はステップ７６へ移行し、電子データではないと否定判定された場合は、ステップ７４へ移行する。
【００５７】
ステップ７４では、原稿６０の画像を読み取り、ステップ７６へ移行する。
【００５８】
ステップ７６では、読み取られた紙指紋６６の紙指紋データと、入力された、又は読み取られた画像データ６２とを関連付けて管理装置１４のデータベース４０へ記憶し、ステップ７８へ移行する。
【００５９】
ステップ７８では、画像出力部３０が画像データ６２を記録用紙６４に出力しこのルーチンは終了する。
【００６０】
図８は、原本６８を移管する処理の流れを示すフローチャートである。
【００６１】
ステップ８０では、原本６８を移管する元の記録用紙６４の紙指紋６６を画像処理装置１２の画像読取部２４が読み取り、ステップ８２へ移行する。
【００６２】
ステップ８２では、読み取った紙指紋６６の紙指紋データが管理装置１４のデータベース４０に記憶されている紙指紋６６の紙指紋データか否かを判定する。データベース４０に記憶されていない紙指紋６６の紙指紋データであると否定判定された場合は、ステップ８４へ移行する。
【００６３】
ステップ８４では、紙指紋６６の紙指紋データ照合エラー処理として、使用するユーザに対して、画像処理装置１２のＵＩ２２のタッチパネルディスプレイ等に紙指紋６６の紙指紋データが照合エラーであるメッセージを表示する等のエラー処理を行い、このルーチンは終了する。
【００６４】
ステップ８２で、データベース４０に記憶されている紙指紋６６であると肯定判定された場合は、ステップ８６へ移行する。
【００６５】
ステップ８６では、管理装置１４のデータベース４０に記憶されている紙指紋６６の紙指紋データに管理制御部３６が廃棄許可を与え、ステップ８８へ移行する。
【００６６】
ステップ８８では、画像読取部２４が移管先となる記録用紙６４の紙指紋６６を読み取り、ステップ９０へ移行する。
【００６７】
ステップ９０では、ステップ８０で読み取られた紙指紋６６の紙指紋データに関連付けられてデータベース４０記憶されている画像データ６２を、紙指紋６６を読み取った移管先の記録用紙６４に出力し、ステップ９２へ移行する。
【００６８】
ステップ９２では、ステップ８０で画像読取部２４が読み取った紙指紋６６の紙指紋データと、ステップ９０で画像出力部３０が出力した画像データ６２とを関連付けてデータベース４０記憶し、ステップ９４へ移行する。
【００６９】
ステップ９４では、移管元の原本６８をシュレッダー駆動部５０が廃棄し、管理制御部３６がデータベース４０に記憶されている、廃棄許可が与えられた紙指紋６６の紙指紋データを廃棄し、このルーチンは終了する。
【００７０】
以上説明したように、紙指紋６６の紙指紋データと、原本６８として記録用紙６４に出力した画像データ６２とを関連付けて記憶させることにより、原本６８が劣化した場合に、記憶されている紙指紋６６の紙指紋データであると照合できると、紙指紋６６に関連付けられて記憶された画像データ６２を出力すると共に、新しい原本６８となる記録用紙６４の紙指紋６６の紙指紋データを新たに登録することで、原本６８を移管することができ、原本６８を保証することができる。また、原本６８を移管するときに、移管元である原本６８を廃棄することで、原本６８が複数存在することを防止することができる。
【００７１】
また、本実施の形態では、原本６８を移管する際に、管理装置１４で管理されている紙指紋６６の紙指紋データである場合に廃棄装置１６で移管元である原本６８である記録用紙６４を廃棄したが、これに限ったものではない。廃棄されたデータであることが判断できれば、その紙指紋６６の紙指紋データによって原本６８が保証できなくなるため、例えば、紙指紋６６の紙指紋データに削除フラグなどを設けることで廃棄許可が与えられた紙指紋６６の紙指紋データと、その紙指紋６６に関連付けられた画像データ６２が廃棄されたデータであることが判断できればよい。
【００７２】
更に、画像処理装置１２の画像読取部２４において紙指紋６６を読み取るが、これに限ったものではない。紙指紋６６を読み取ることを目的とした読取手段を新たに設ける構成としてもよい。
【図面の簡単な説明】
【００７３】
【図１】本実施の形態に係る画像処理システムの概略構成図である。
【図２】本実施の形態に係る画像処理装置の機能を示す機能ブロック図である。
【図３】（Ａ）は、本実施の形態に係る原稿の一例を示した図であり、（Ｂ）は、本実施の形態に係る記録用紙上の紙指紋を示した図であり、（Ｃ）は、本実施の形態に係る原本を示した図である。
【図４】本実施の形態に係る管理装置の機能を示す機能ブロック図である。
【図５】本実施の形態に係る廃棄装置の機能を示す機能ブロック図である。
【図６】本実施の形態に係る原本を移管する機能を示した機能ブロック図である。
【図７】本実施の形態に係る原本を登録する処理の流れを示すフローチャートである。
【図８】本実施の形態に係る原本を移管する処理の流れを示すフローチャートである。
【符号の説明】
【００７４】
１０  画像処理システム
２４  画像読取部（読取手段）
２６  画像処理制御部（制御手段）
３０  画像出力部（原本生成手段、画像形成手段）
３６  管理制御部（更新手段、制御手段、編集手段）
４０  データベース（記憶手段）
４６  廃棄制御部（制御手段）
５０  シュレッダー駆動部（廃棄手段）
６２  画像データ
６４  記録用紙
６６  紙指紋
【図１】
2009049780.tif 000003
【図２】
2009049780.tif 000004
【図３】
2009049780.tif 000005
【図４】
2009049780.tif 000006
【図５】
2009049780.tif 000007
【図６】
2009049780.tif 000008
【図７】
2009049780.tif 000009
【図８】
2009049780.tif 000010